【手続補正書】
【提出日】平成24年2月20日(2012.2.20)
【手続補正１】
【補正対象書類名】明細書
【補正対象項目名】０００６
【補正方法】変更
【補正の内容】
【０００６】
立体網状構造体は、熱可塑性樹脂を原料又は主原料とし、複数本の線条が押し出し成形によって螺旋状に無秩序に絡まり合い部分的に熱接着し液体で冷却され、押し出し方向に対して中空部が形成されたものである。これにより、中空部に他の部材を挿入するなど、中空部を有効に活用でき、多様な用途に適用できるようになる。
【手続補正２】
【補正対象書類名】明細書
【補正対象項目名】０００７
【補正方法】変更
【補正の内容】
【０００７】
立体網状構造体は、熱可塑性樹脂を原料又は主原料とし、複数本の線条が押し出し成形によって螺旋状に無秩序に絡まり合い部分的に熱接着し液体で冷却され、押し出し方向に対して空隙率が概ねゼロのシートを形成したものである。これにより、シートによる防音、衝撃吸収等の性能を高まる。
【手続補正３】
【補正対象書類名】明細書
【補正対象項目名】０００８
【補正方法】変更
【補正の内容】
【０００８】
立体網状構造体は、熱可塑性樹脂を原料又は主原料とし、複数本の線条が押し出し成形によって螺旋状に無秩序に絡まり合い部分的に熱接着し液体で冷却され、２つ以上の領域を備えたものである。これにより２つ以上の領域を分離することで、リサイクルが困難であった複合樹脂等のリサイクルの困難性を克服できる。
【手続補正４】
【補正対象書類名】明細書
【補正対象項目名】００１３
【補正方法】変更
【補正の内容】
【００１３】
立体網状構造体は、熱可塑性樹脂を原料又は主原料とし、複数本の線条が押し出し成形によって螺旋状に無秩序に絡まり合い部分的に熱接着し液体で冷却され、側面が多面形状又は異形形状である。
【手続補正５】
【補正対象書類名】明細書
【補正対象項目名】００１８
【補正方法】変更
【補正の内容】
【００１８】
立体網状構造体製造装置は、熱可塑性樹脂を原料又は主原料とする溶融した線条を複数の孔を有するダイスから下方へ押し出し、一部水没した、下方に向かって徐々に間隔が狭くなるように設定された表面が滑り性の板材と、該板材の間に前記線条を自然降下させ、該降下速度より前記線条を遅く引き込み、押出された線条の集合体の幅より前記板材の下方の部分の間隔が狭く設定され、前記板材が水没する前後に前記線条の集合体の少なくとも一面が前記板材に接触するものである。これにより可動部分を減少させるか無くすことで、装置の小型化を実現できる。
【手続補正６】
【補正対象書類名】明細書
【補正対象項目名】００１９
【補正方法】変更
【補正の内容】
【００１９】
立体網状構造体製造装置は、熱可塑性樹脂を原料又は主原料とする溶融した線条を複数の孔を有するダイスから下方へ押し出し、一部水没した引取装置の間に前記線条を自然降下させ、該降下速度より前記線条を遅く引き込み、前記押出された線条の集合体の幅より前記引取装置の間隔が狭く設定され、前記引取装置が水没する前後に前記線条の集合体の少なくとも一面が前記引取装置に接触し、前記引取装置の外周部材の断面が異形断面とされたものである。これにより後工程の作業をなくすことができる。
【手続補正７】
【補正対象書類名】明細書
【補正対象項目名】００２０
【補正方法】変更
【補正の内容】
【００２０】
立体網目状構造体製造装置は、熱可塑性樹脂を原料又は主原料とする溶融した線条を複数の孔を有するダイスから下方へ押し出し、一部水没した引取装置の間に前記線条を自然降下させ、該降下速度より前記線条を遅く引き込み、前記押出された線条の集合体の幅より前記引取装置の間隔が狭く設定され、前記引取装置が水没する前後に前記線条の集合体の少なくとも一面が前記引取装置に接触し、前記ダイスが、２以上のチャンバを有し複数の孔を有する口金を有する複合ダイスを備え、熱可塑性樹脂を原料又は主原料とする溶融した線条を隔壁で隔てられた別々の経路を経て前記口金の孔から下方へ押し出すものである。これにより分離分割可能な立体網状構造体を製造できる。
【手続補正８】
【補正対象書類名】明細書
【補正対象項目名】００２１
【補正方法】変更
【補正の内容】
【００２１】
立体網状構造体製造装置は、熱可塑性樹脂を原料又は主原料とする溶融した線条を複数の孔を有するダイスから下方へ押し出し、一部水没した引取装置の間に前記線条を自然降下させ、該降下速度より前記線条を遅く引き込み、前記押出された線条の集合体の幅より前記引取装置の間隔が狭く設定され、前記引取装置が水没する前後に前記線条の集合体の少なくとも一面が前記引取装置に接触し、前記引取装置が周回する部材を備え、該部材の外周に金網又は板材を周設したものである。これにより引取装置の耐久性を向上させることができる。
【手続補正９】
【補正対象書類名】明細書
【補正対象項目名】００２２
【補正方法】変更
【補正の内容】
【００２２】
請求項１の立体網状構造体は、熱可塑性樹脂を原料又は主原料とし、複数本の線条が押し出し成形によって螺旋状に無秩序に絡まり合い部分的に熱融着し液体で冷却され、口金の孔密度を変更することにより押し出し方向と直交する方向に疎密が交互に形成されたことを特徴とする。
請求項２の立体網状構造体は、前記口金により、前記押し出し方向と直交する方向の両端部に密度の高い領域を形成し、当該密度の高い領域の間に密度の低い領域を形成することが好ましい。
請求項３の立体網状構造体は、前記口金により、外周囲に密度の高い領域が形成され、当該領域の内側領域に密度の低い領域が形成されることが好ましい。
請求項４の立体網状構造体製造方法は、熱可塑性樹脂を原料又は主原料とする溶融した線条を複数の孔を有し口金に孔の密度の高い領域及び低い領域を形成するダイスから下方へ押し出し、一部水没した引取装置の間に前記線条を自然降下させ、該降下速度より前記線条を遅く引き込み、前記押出された線条の集合体の幅より狭く設定された間隔の引取装置が水没する前後に前記線条の集合体の少なくとも二面が前記引取装置に接触することを特徴とする。
請求項５の立体網状構造体製造方法は、前記熱可塑性樹脂の押し出しの前に、前記密度を孔の個数で設定する工程を含むことが好ましい。
請求項６の立体網状構造体製造方法は、前記口金の孔が形成された領域に孔を塞いだ領域が形成される工程を含むことが好ましい。
請求項７の立体網状構造体製造装置は、熱可塑性樹脂を原料又は主原料とする溶融した線条を複数の孔を有するダイスから下方へ押し出し、一部水没した引取装置の間に前記線条を自然降下させ、該降下速度より前記線条を遅く引き込み、前記押出された線条の集合体の幅より前記引取装置の間隔が狭く設定され、前記引取装置が水没する前後に前記線条の集合体の少なくとも二面が前記引取装置に接触し、前記口金に孔の密度の高い領域及び低い領域を形成したものである。これにより設計の幅が広くなる。
請求項８記載の立体網状構造体製造装置は、前記口金の孔が形成された領域に孔を塞いだ領域が形成されることが好ましい。
請求項９記載の立体網状構造体製造装置は、前記口金の長手方向の両端部に密度の高い領域を形成し、当該密度の高い領域の間に密度の低い領域を形成することが好ましい。
【手続補正１０】
【補正対象書類名】特許請求の範囲
【補正対象項目名】全文
【補正方法】変更
【補正の内容】
【特許請求の範囲】
【請求項１】
熱可塑性樹脂を原料又は主原料とし、複数本の線条が押し出し成形によって螺旋状に無秩序に絡まり合い部分的に熱融着し液体で冷却され、口金の孔密度を変更することにより押し出し方向と直交する方向に疎密が交互に形成されたことを特徴とした立体網状構造体。
【請求項２】
前記口金により、前記押し出し方向と直交する方向の両端部に密度の高い領域を形成し、当該密度の高い領域の間に密度の低い領域を形成する請求項１の立体網状構造体。
【請求項３】
前記口金により、外周囲に密度の高い領域が形成され、当該領域の内側領域に密度の低い領域が形成される請求項１の立体網状構造体。
【請求項４】
熱可塑性樹脂を原料又は主原料とする溶融した線条を複数の孔を有し口金に孔の密度の高い領域及び低い領域を形成するダイスから下方へ押し出し、一部水没した引取装置の間に前記線条を自然降下させ、該降下速度より前記線条を遅く引き込み、前記押出された線条の集合体の幅より狭く設定された間隔の引取装置が水没する前後に前記線条の集合体の少なくとも二面が前記引取装置に接触することを特徴とする立体網状構造体製造方法。
【請求項５】
前記熱可塑性樹脂の押し出しの前に、前記密度を孔の個数で設定する工程を含む請求項４の立体網状構造体製造方法。
【請求項６】
前記口金の孔が形成された領域に孔を塞いだ領域が形成される工程を含む請求項４の立体網状構造体製造方法。
【請求項７】
熱可塑性樹脂を原料又は主原料とする溶融した線条を複数の孔を有するダイスから下方へ押し出し、一部水没した引取装置の間に前記線条を自然降下させ、該降下速度より前記線条を遅く引き込み、前記押出された線条の集合体の幅より前記引取装置の間隔が狭く設定され、前記引取装置が水没する前後に前記線条の集合体の少なくとも二面が前記引取装置に接触し、前記口金に孔の密度の高い領域及び低い領域を形成したことを特徴とした立体網状構造体製造装置。
【請求項８】
前記口金の孔が形成された領域に孔を塞いだ領域が形成される請求項７の立体網状構造体製造装置。
【請求項９】
前記口金の長手方向の両端部に密度の高い領域を形成し、当該密度の高い領域の間に密度の低い領域を形成する請求項７又は８に記載の立体網状構造体製造装置。